(57)【要約】【課題】荷重に対する強度が強く、雨水貯留槽から水分が客土層へ供給され、植物に必要な水分が自然に供給される雨水貯留型緑化装置、及びこれを複数連結し、雨水貯留槽からの排水を制御することで、河川等へ急激に雨水が流れ込むのを防止することが出来、地震等の災害が生じた場合には、雨水貯留層に貯留された雨水を生活水として利用することが出来る雨水貯留システムを提供する。【解決手段】雨水貯留システム１の連結された雨水貯留槽３の上には、パレット４及び不織布５を介し客土層６が配置されている。雨水貯留槽３に貯留した雨水Ｗは蒸発し、客土層６へ水分が供給されるとともに、雨水貯留槽３から第１排水ホース１２、ホース連結部１４、及び第２排水ホース１３を介し水が排出され、災害時に生活水として用いたり、降雨時の河川への流水制限に利用され得る。【選択図】図５
2008127961.tif 000002
【特許請求の範囲】
【請求項１】
雨水を貯留する雨水貯留槽と、
上下に貫通する通気・通水路を複数有し、前記雨水貯留槽上に載置された間隔保持部と、
該間隔保持部上に配置され、植物が植えられる客土層と
を備えることを特徴とする雨水貯留型緑化装置。
【請求項２】
前記雨水貯留槽は、側面に補強リブを有する請求項１に記載の雨水貯留型緑化装置。
【請求項３】
前記客土層は、木材チップ１００質量部と、米ぬか１０〜３５質量部と、窒素肥料１０〜３５質量部とを混合し、腐朽させてなる腐朽チップを含む請求項１又は２に記載の雨水貯留型緑化装置。
【請求項４】
請求項１乃至３のいずれかに記載の雨水貯留型緑化装置を複数、各雨水貯留槽が該雨水貯留槽の側面を貫通する連結管により連結された状態で備えることを特徴とする雨水貯留システム。
【発明の詳細な説明】
【技術分野】
【０００１】
本発明は、雨水が貯留された雨水貯留槽から水分が、客土層に植栽された植物へ自然に供給される雨水貯留型緑化装置、及び該雨水貯留型緑化装置を複数連結してなる雨水貯留システムに関する。
【背景技術】
【０００２】
近年、頻繁に水やりを行わなくとも簡単に植物及び気象に合った適量の給水を行うことが出来、かつ植物の根腐れ等の心配がなく、植物の成長を促進させる栽培装置として、貯水槽と、該貯水槽の上側に配され、植物が植えられた客土層とを備え、蒸発若しくは湿度差により前記貯水槽から客土層へ水分が供給される栽培装置、又は毛細管現象により給水を行う給水部材を介して、前記貯水槽から客土層へ水分が供給される栽培装置等、種々の栽培装置が開発されている。
【０００３】
特許文献１には、函体２に桟木３を敷設し、有孔仕切板４を載置し、函体２の下半分は貯水部５として、仕切板４に載置した土壌層７に、貯水部５に貯留された水分が蒸発又は湿度差によりトランスポートされるように構成された植栽容器１の発明が開示されている。この植栽容器１は、特別な灌水設備がなくとも天然降水量のみで植物を生育させること、建物の屋上に本格的な庭園を構築させること、建物への荷重負荷を極力軽減することが図られている。
【特許文献１】再公表２００４−１１０１３１号公報
【発明の開示】
【発明が解決しようとする課題】
【０００４】
しかし、特許文献１の植栽容器１等の従来の栽培装置においては、屋上に複数並設することは可能であるが、強度が不充分であり、例えば、防災ゾーン、住宅地の庭等の広範囲の領域に複数設置した場合、破損するおそれがあり、また、地中に埋設して使用することは困難であるという問題があった。
また、特許文献１の植栽容器１においては、土壌層７に保水性を付与するために木炭及び腐朽した腐朽チップを混合しているが、まだ保水性は不充分であるという問題があった。そして、この腐朽チップを製造するのに、長い期間を要するという問題があった。さらに、おが屑を水分調整材として用い、腐朽させて得られた、従来の腐朽チップは、発芽障害及び生育障害を誘発するので、芝及び樹木等の植物を植え付けた後の客土層の管理が困難であるという問題があった
【０００５】
さらに、近年は、貯水槽に貯留された水を植物への水分補給以外にも有効利用することが要求されており、また、水害の抑制にも利用することが要求されている。
【０００６】
本発明は、斯かる事情に鑑みてなされたものであり、雨水を貯留する雨水貯留槽と、上下に貫通する通気・通水路を複数有し、雨水貯留槽上に載置された間隔保持部と、該間隔保持部上に配置され、植物が植えられる客土層とを備えることにより、荷重に対する強度が良好であり、雨水貯留槽から間隔保持部を介し、蒸発又は湿度差により水分が客土層へ供給されるので、客土層に植えられた植物に必要な水分が自然に供給されるとともに、客土層の湿度が一定に保持されるので、地表面の温度上昇も抑制することが出来る雨水貯留型緑化装置を提供することを目的とする。
【０００７】
また、本発明は、雨水貯留槽は、側面に補強リブを有するように構成することにより、荷重に対する強度がさらに良好である雨水貯留型緑化装置を提供することを目的とする。
【０００８】
そして、本発明は、客土層が木材チップ１００質量部と、米ぬか１０〜３５質量部と、窒素肥料１０〜３５質量部とを混合し、腐朽させてなる腐朽チップを含むように構成することにより、水分調整材として米ぬかを用いるので、客土層の保水性が良好になり、客土層の湿度がさらに良好に保持され、得られた腐朽チップを含む客土層に植えられた植物に発芽障害及び生育障害が生じず、植物の管理が容易である雨水貯留型緑化装置を提供することを目的とする。
【０００９】
さらに、本発明は、上述のいずれかの雨水貯留型緑化装置を複数、各雨水貯留槽が該雨水貯留槽の側面を貫通する連結管により連結された状態で備えることにより、降雨時には、客土層を浸透した雨水が雨水貯留槽に貯留されるので、雨水貯留槽からの排水を制御することで、河川等へ急激に雨水が流れ込むのを防止することが出来、水害が抑制され、地震等の災害が生じた場合には、この雨水貯留層に貯留された雨水を生活水として利用することが出来る雨水貯留システムを提供することを目的とする。
【課題を解決するための手段】
【００１０】
第１発明に係る雨水貯留型緑化装置は、雨水を貯留する雨水貯留槽と、上下に貫通する通気・通水路を複数有し、前記雨水貯留槽上に載置された間隔保持部と、該間隔保持部上に配置され、植物が植えられる客土層とを備えることを特徴とする。
【００１１】
本発明においては、間隔保持部を備えるので、荷重に対する強度が良好であり、客土層をバランスよく支持することが出来る。
従って、防災ゾーン、各種公園・広場、住宅地の庭等の広範囲の領域に、本発明の雨水貯留型緑化装置を複数設置した場合においても、強度的に問題がなく、また、地中に埋設して使用することも可能である。
そして、本発明においては、雨水貯留槽から間隔保持部を介し、蒸発又は湿度差により水分が客土層へ供給されるので、客土層に植えられた植物に必要な水分が自然に供給されるとともに、客土層の湿度が一定に保持されるので、地表面の温度上昇も抑制することが出来る。
【００１２】
第２発明に係る雨水貯留型緑化装置は、第１発明において、前記雨水貯留槽は、側面に補強リブを有することを特徴とする。
【００１３】
本発明においては、荷重に対する強度がさらに良好である。
【００１４】
第３発明に係る雨水貯留型緑化装置は、第１又は第２発明において、前記客土層は、木材チップ１００質量部と、米ぬか１０〜３５質量部と、窒素肥料１０〜３５質量部とを混合し、腐朽させてなる腐朽チップを含むことを特徴とする。
【００１５】
本発明においては、水分調整材として米ぬかを用いるので、客土層の保水性が良好になり、客土層の湿度が良好に保持され、水分調整材としておが屑を用いた場合と異なり、得られた腐朽チップを含む客土層に植えられた植物に発芽障害及び生育障害が生じず、植物が良好に成長する。従って、植物の管理が容易である。
また、本発明の腐朽チップは、短期間で得られ、道路の植え込み等で剪定された樹木を早急に処理して客土層に用いることが出来るので、剪定樹木の有効利用が図られる。
【００１６】
第４発明に係る雨水貯留システムは、第１乃至第３発明のいずれかの雨水貯留型緑化装置を複数、各雨水貯留槽が該雨水貯留槽の側面を貫通する連結管により連結された状態で備えることを特徴とする。
【００１７】
本発明においては、雨水貯留型緑化装置が複数連結して設置されており、降雨時には、客土層を浸透した雨水が雨水貯留槽に貯留されるので、特に強雨時には雨水貯留槽からの排水を制御することで、河川等へ急激に雨水が流れ込むのを防止することが出来、水害が防止される。
そして、地震等の災害が生じた場合には、この雨水貯留システムに貯留された雨水を生活水として利用することが出来る。
また、客土層の湿度を一定に保持出来るので、本発明の雨水貯留装置が多数連結された場合、この雨水貯留システムが設置された地域の地表面の温度上昇を抑制することが出来る。
【発明の効果】
【００１８】
第１発明によれば、雨水を貯留する雨水貯留槽と、上下に貫通する通気・通水路を複数有し、雨水貯留槽上に載置された間隔保持部と、間隔保持部上に配置され、植物が植えられる客土層とを備えており、荷重に対する強度が良好であり、雨水貯留槽から間隔保持部を介し、蒸発又は湿度差により水分が客土層へ供給されるので、客土層に植えられた植物に必要な水分が自然に供給されるとともに、客土層の湿度が一定に保持されるので、地表面の温度上昇も抑制することが出来る。
【００１９】
第２発明によれば、雨水貯留槽は、側面に補強リブを有するように構成されているので、荷重に対する強度が良好である。
【００２０】
第３発明によれば、客土層が木材チップ１００質量部と、米ぬか１０〜３５質量部と、窒素肥料１０〜３５質量部とを混合し、腐朽させてなる腐朽チップを含むように構成されており、水分調整材として米ぬかを用いるので、客土層の保水性が良好になり、客土層の湿度がさらに良好に保持される。そして、得られた腐朽チップを含む客土層に植えられた植物に発芽障害及び生育障害が生じず、植物の管理も容易である。
【００２１】
第４発明によれば、上述のいずれかの雨水貯留型緑化装置を複数、各雨水貯留槽が該雨水貯留槽の側面を貫通する連結管により連結された状態で備えるように構成されており、降雨時には、客土層を浸透した雨水が雨水貯留槽に貯留されるので、雨水貯留槽からの排水を制御することで、河川等へ急激に雨水が流れ込むのを防止することが出来、水害が抑制され、地震等の災害が生じた場合には、この雨水貯留層に貯留された雨水を生活水として利用することが出来る。
【発明を実施するための最良の形態】
【００２２】
以下、本発明をその実施の形態を示す図面に基づき具体的に説明する。
実施の形態１．
図１は、本発明の実施の形態１に係る雨水貯留システム１を示す一部破断模式的正面図、図２は、連結された雨水貯留槽３，３，…を示す平面図である。
雨水貯留システム１においては、地面又はコンクリート面に敷設された砕石・川砂９の上に、雨水貯留槽３，３，…が連結管３１，３１，…により縦横に連結された状態で、載置されている。
【００２３】
図３は、雨水貯留槽３を示す斜視図である。
ポリプロピレン等の合成樹脂製であり、箱状を有する雨水貯留槽３の各側面には、複数の補強リブ３２，３２，…が設けられており、短辺側の側面には、連結管取付孔３３が設けられている。図２に示す雨水貯留システム１の短辺側の雨水貯留槽３，３，…には、長辺側の側面にも連結管取付孔３３が設けられており、４個の角部の雨水貯留槽３においては、内側の長辺側の側面部に連結管取付孔３３が設けられており、うち１個の雨水貯留槽３においては、外側の側面にも連結管取付孔３３が設けられている。
雨水貯留槽３の一例として、縦５９２ｍｍ、横４５５ｍｍ、高さ３５４ｍｍの直方体状のものが挙げられ、この場合、体積は０．０９５ｍ3 であり、満水で０．５９２ｍ3 ／ｍ2 の雨水を貯留することが出来る。
【００２４】
雨水貯留槽３，３，…の上には、４個の雨水貯留槽３に１個の割合で、パレット（間隔保持部）４，４，…が載置されている。
図４は、パレット４を示す斜視図である。
合成樹脂製のパレット４は、網目状の下面部４１及び上面部４２と、内部を水平方向に複数区画する柱状の支持部４３，４３，…とを備えている。パレット４は、内部に空洞部を有することになり、下面部４１の網目と上面部４２の網目とで、上下に貫通する通気・通水路が形成されている。
【００２５】
パレット４，４，…の上には、不織布５を介し客土層６が載置されている。客土層６は、雨水貯留槽３に貯留した雨水が蒸発した水分を吸着し、後述するようにして製造される腐朽チップ及び木炭を有する。客土層６には芝７及び樹木８が植えられている。
雨水貯留槽３を含む雨水貯留システム１の１単位が雨水貯留型緑化装置１０を構成する。
【００２６】
図５は、雨水貯留システム１を示す一部破断模式的側面図（図２における雨水貯留システム１の右の短辺側から見た図）である。
図５に示すように、雨水貯留システム１の角部の雨水貯留槽３の長辺側の側面部に設けられた連結管取付孔３３には、第１排水ホース１２が接続されている。第１排水ホース１２は、雨水貯留槽３と土留め部１１との間に介在する客土層６を貫通し、土留め部１１を貫通させて設けられたホース連結部１４の一端部に接続され、ホース連結部１２の他端部には第２排水ホース１３が接続されている。雨水貯留システム１の各雨水貯留槽３に貯留された雨水Ｗは、この第２排水ホース１３から排出されるように構成されている。第２排水ホース１３から排出される水は、そのまま地中に流されるか、下水路へ送られる。
【００２７】
以下に、客土層６に配合される腐朽チップの製造方法について説明する。
まず、剪定材等の木材を直径４〜１５ｍｍ、長さ３０〜１００ｍｍのチップ状となるように破砕する。
破砕して得られた木材チップを幅５ｍ、長さ１０ｍ、高さ２ｍの小山状に堆積させる。この小山にした木材チップ１００質量部に対し、水分調整剤としての米ぬかを１０〜３５質量部、分解促進剤としての窒素肥料を１０〜３５質量部の割合で混合するのが好ましく、米ぬかを１５〜２０質量部、窒素肥料を１５〜２０質量部混合するのがさらに好ましい。窒素肥料としては石灰窒素を用いるのが好ましく、目標ＣＮ比を３０とする。
ここで、米ぬかの割合が１０質量部未満であり、窒素肥料の割合が１０質量部未満である場合、短期間に腐朽チップを得ることが出来ない。また、米ぬかの割合が３５質量部を超え、窒素肥料の割合が３０質量部を超える場合、発酵が進みすぎ、良好な保水性を有する腐朽チップが得られない。
【００２８】
この混合に用いる木材チップは乾燥過多のものは使用しない。使用する場合は、湿潤状態の木材チップと混合して使用する。木材チップの水分は５０〜５５％位に調整するのが好ましい。乾燥した木材チップを用いた場合、発酵促進剤の機能低下が起こり、腐朽期間にバラツキが生じたり、発酵不良による腐敗菌の繁殖を誘発して発酵障害が生じる。水分が多い場合、嫌気性細菌が増えて腐る可能性がある。
【００２９】
発酵期間中は酸素を十分与えることが必要であるが、微生物の分解に伴う発酵熱を備蓄するため、空気を適度に遮断する必要がある。従って、５〜７日に一度の割合で、空気を入れるためにかき回すのが好ましい。
【００３０】
発酵菌が繁殖するとき、熱が生じる。このとき温度は６０〜７０度程度になり、病原菌及び寄生虫の卵、雑草の種子等が死滅する。このように温度が上昇しない場合、「うじ」等が発生する。
発酵熱を生じさせるためには、適度に材料が多い必要がある。材料が少ない場合、周囲から熱が奪われ、中心の温度が下がる。発酵菌を効率よく増殖させるためには、必要に応じて米ぬか、窒素等を追加して混合する。
熱が上昇した時点で、材料をかき回す、「切り返し」を行う。これにより、酸素の供給と水分の調節とがなされて発酵分解が促進し、材料が均一化する。「切り返し」を行った後、急激な熱の上昇がない場合、腐朽が完成したことになる。
【００３１】
１４日以上の処理日数を経た本実施の形態の木材チップは、従来の牛糞・おが屑堆肥と同程度の発芽・生育状態を示す。
【００３２】
石灰窒素の投入により木材チップ全体のＰＨは上昇するが、長期的に見た場合、石灰窒素の投入時よりＰＨは下がり、７日以降はＰＨも安定し、発酵状態が落ち着く。
この製造方法によれば、ＰＨが低く、ＣＮ比が高くなり、良好な発酵状態が保持されるので、従来と比較して短期間に腐朽チップが得られる。従って、道路の植え込み等で剪定された樹木を早急に処理して客土層６に用いることが出来るので、剪定樹木の有効利用が図られる。
そして、水分調整材として米ぬかを用いるので、客土層６の保水性が良好になり、客土層６の湿度が良好に保持され、水分調整材としておが屑を用いた場合と異なり、得られた腐朽チップを含む客土層に植えられた植物に発芽障害及び生育障害が生じず、植物が良好に成長する。従って、植物の管理も容易である。
【００３３】
上述したように、本実施の形態の雨水貯留システム１には、パレット４を備え、雨水貯留槽３の側面には補強リブ３２が設けられているので、荷重に対する強度が強く、客土層６をバランスよく支持することが出来る。
従って、防災ゾーン、各種公園・広場、住宅地の庭等の広範囲の領域に、雨水貯留型緑化装置１０を複数設置して雨水貯留システム１を構成した場合においても、強度的に問題がなく、また、地中に埋設して使用することも可能である。
そして、本実施の形態においては、雨水貯留槽３からパレット４を介し、蒸発又は湿度差により水分が客土層６へ供給されるので、客土層６に植えられた植物に必要な水分が自然に供給されるとともに、客土層６の湿度が一定に保持されるので、地表面の温度上昇も抑制することが出来る。従って、本発明の雨水貯留システム１は、地球温暖化対策にも適用され得る。
【００３４】
本実施の形態においては、雨水貯留型緑化装置１０が複数連結して設置されており、降雨時には、客土層６を浸透した雨水が雨水貯留槽３に貯留されるので、特に強雨時には第２排水ホース１３からの排水を制御することで、河川等へ急激に雨水が流れ込むのを防止することが出来、水害が防止され得る。
そして、地震等の災害が生じた場合には、第２排水ホース１３からの排水を生活水として利用することが出来る。
【００３５】
実施の形態２．
図６は、本発明の実施の形態２に係る雨水貯留システムを示す一部破断模式的側面図である。図中、図５と同一部分は同一符号を付して詳細な説明を省略する。
この雨水貯留システムにおいては、第２排水ホース１３は、フット式ポンプ１７に接続されており、該フット式ポンプ１７の他側には給水管１６が接続されている。
従って、フット式ポンプ１７を足で踏むことにより、雨水貯留槽３の水が給水管１６を介し、地面又はコンクリート面に設けられた洗い場１５へ送られる。地震等の災害時には、送られた水を手洗いに用いたり、衣服等を洗ったり、水をバケツに溜めて、家屋、簡易トイレ等の清掃にも用いることが出来る。
【００３６】
なお、前記実施の形態１及び２においては、パレット４が網目状の上面部４１及び下面部４２と、内部を水平方向に複数区画する柱状の支持部４３，４３，…とを備える場合につき説明しているがこれに限定されるものではなく、板状のパレット４に、上下に貫通する孔が複数設けられているものであってもよい。
また、４個の雨水貯留槽３に１個の割合で、パレット４を載置する場合に限定されるものではない。
本発明は、種々の設計変更が可能である。
【図面の簡単な説明】
【００３７】
【図１】本発明の実施の形態１に係る雨水貯留システムを示す一部破断模式的正面図である。
【図２】連結された雨水貯留槽を示す平面図である。
【図３】雨水貯留槽を示す斜視図である。
【図４】パレットを示す斜視図である。
【図５】雨水貯留システムを示す一部破断模式的側面図である。
【図６】本発明の実施の形態２に係る雨水貯留システムを示す一部破断模式的側面図である。
【符号の説明】
【００３８】
１  雨水貯留システム
３  雨水貯留槽
３１  連結管
３２  補強リブ
３３  連結管取付孔
４  パレット
４１  下面部
４２  上面部
４３  支持部
５  不織布
６  客土層
７  芝
８  樹木
１０  雨水貯留型緑化装置
１１  土留め部
１２  第１排水ホース
１３  第２排水ホース
１４  ホース連結部
１５  洗い場
１６  給水管
１７  フット式ポンプ
【図１】
2008127961.tif 000003
【図２】
2008127961.tif 000004
【図３】
2008127961.tif 000005
【図４】
2008127961.tif 000006
【図５】
2008127961.tif 000007
【図６】
2008127961.tif 000008